(57)【特許請求の範囲】
【請求項１】
異なるチップ固有データが記録されている複数の微小非接触ＩＣチップを保持し、該微小非接触ＩＣチップを物品の表面に貼り付け可能に構成されたチップ・カートリッジが着脱可能であって、
操作部と、
通信ネットワークを介して接続されたデータ管理サーバにデータを送信する送信手段と、
装着された該チップ・カートリッジ内に入り込み、該チップ・カートリッジに保持された該微小非接触ＩＣチップのうち、該操作部の操作によって該物品の表面への貼り付けのために予め決められた位置に位置決めされた該微小非接触ＩＣチップに記録されている該チップ固有データを読み取る識別アンテナと、
該識別アンテナにより、該物品の表面に貼り付けるための該チップ・カートリッジの該微小非接触ＩＣチップから読み取った該チップ固有データを記憶するメモリと、
該メモリに所定量の該チップ固有データが格納されると、もしくは該操作部の所定操作に応じて、該メモリに記憶されている全ての該チップ固有データを読み出す読出手段と  を設け、該送信手段が該読出手段によって該メモリから読み出された該チップ固有データを該データ管理サーバに送信することを特徴とする端末装置。
【請求項２】
携帯電話機であることを特徴とする請求項１に記載の端末装置。
【請求項３】
異なるチップ固有データが記録されている複数の微小非接触ＩＣチップを保持し、該微小非接触ＩＣチップを物品の表面に貼り付け可能に構成されたチップ・カートリッジの販売・管理システムであって、
該チップ・カートリッジの販売装置と、管理サーバと、該販売装置と該管理サーバとの間でデータのやり取りを行なうための通信ネットワークとからなり、
該販売装置は、該チップ・カートリッジの販売時に、該チップ・カートリッジに記録されている該チップ・カートリッジのカセット番号及び該チップ・カートリッジに保持されている該微小非接触ＩＣチップのチップＩＤを読み取る読取手段と、該チップ・カートリッジを購入するユーザによりその購入時に入力される該チップ・カートリッジに関して登録するためのユーザ情報の入力を受け付ける入力手段と、該読取手段によって読み取られた該カセット番号及び該チップＩＤと該入力手段に受け付けられた該ユーザ情報とを該通信ネットワークを介して該管理サーバに送信する送信手段とを有し、
該管理サーバは、該販売装置から送信される販売された該チップ・カートリッジの該カセット番号と該チップＩＤとを登録管理データとして保存管理するとともに、該販売装置で該チップ・カートリッジの販売時に入力されて送信される該ユーザ情報を販売された当該チップ・カートリッジの該登録管理データに関連付けて登録し、販売された該チップ・カートリッジに関するカセット番号及びチップＩＤとこれを購入したユーザの該ユーザ情報とを関連付けて登録管理することを特徴とするチップ・カートリッジの販売・管理システム。
【請求項４】
異なるチップ固有データが記録されている複数の微小非接触ＩＣチップを収納し、該微小非接触ＩＣチップを物品の表面に貼り付け可能に構成されたチップ・カートリッジが着脱可能であって、該物品に貼り付ける該微小非接触ＩＣチップの該チップ固有データを読み取る識別アンテナを備えた端末装置と、
該端末装置の代わりにデジタル情報の授受を行なうことができる機器として該端末装置にリンクし、該微小非接触ＩＣチップが貼り付けられる物品が有する情報に関する該デジタル情報を有する機器と、
該端末装置にリンクした該機器からの該デジタル情報を保管するリンクデータ保管サーバと、
該リンクデータ保管サーバに保管された該デジタル情報を、該デジタル情報の保管場所を表わす保管アドレスとともに、管理するＩＤ管理サーバと
からなり、
該ＩＤ管理サーバには、該端末装置によって該物品に貼り付けられて使用される該チップ・カートリッジに収納されている該微小非接触ＩＣチップ毎のチップ固有データが、登録管理データとして、該端末装置のユーザのユーザ情報と関連付けられて登録されており、
該リンクデータ保管サーバには、該端末装置にリンクした該機器からの該デジタル情報が該デジタル情報のデータ名称と該端末装置のユーザのユーザ情報とに関連づけられて登録され、登録された該デジタル情報の該リンクデータ保管サーバにおける保管場所を表わす保管アドレスを該ＩＤ管理サーバに保管させ、
該端末装置は、
該チップ・カートリッジに収納されている該微小非接触ＩＣチップを該物品の表面に貼り付けるに際し、該端末装置の操作部を用いて入力される該データ名称と該ユーザ情報とを受け付けて該ＩＤ管理サーバに送信し、該データ名称と該ユーザ情報とをもとに該ＩＤ管理サーバにより該リンクデータ保管サーバで検索されたデジタル情報のリスト及び該デジタル情報の該リンクデータ保管サーバでの保管アドレスを該ＩＤ管理サーバから受信する第１の手段と、
該デジタル情報のリストから、前記操作部の操作により、該微小非接触ＩＣチップが貼り付けられている該物品とリンクされる該デジタル情報を選択し、該微小非接触ＩＣチップから該識別アンテナで読み取られるチップ固有データとともに、該物品の該デジタル情報の該データ名称と該第１の手段で受信された該保管アドレスのうちの選択された該デジタル情報の該保管アドレスとを該ＩＤ管理サーバに送信する第２の手段と
を備え、
該ＩＤ管理サーバは、該端末装置の該第２の手段から送信される該ディジタル情報のデータ名称と該保管アドレスと該チップ固有データとを受信し、登録されている該登録管理データのうちの受信した該チップ固有データに該当する該登録管理データに該デジタル情報の該リンクデータ保管サーバでの該保管アドレスと該デジタル情報のデータ名称とを登録し、該リンクデータ保管サーバに保管されている該デジタル情報を該微小非接触ＩＣチップが貼り付けられた該物品にリンクされたリンクデータとすることを特徴とする情報記憶サービスシステム。
【請求項５】
請求項４において、
前記端末装置は、
前記チップ・カートリッジの前記識別アンテナが設けられた開口部に前記物品の表面に既に貼り付けられている前記微小非接触ＩＣチップが位置付けられて、前記微小非接触ＩＣチップの読み取りのための所定の操作が行なわれることにより、前記識別アンテナで前記微小非接触ＩＣチップのチップ固有データを読み取って、前記送信手段により、前記ＩＤ管理サーバに送信し、
前記ＩＤ管理サーバは、
前記端末装置から送信された該チップ固有データを受信し、登録されている前記登録管理データのうちの受信した該チップ固有データに該当する前記登録管理データに付与されている前記保管アドレスに基づいて、前記リンクデータ保管サーバから前記物品のリンクデータとしての前記デジタル情報を読み出して、前記端末装置もしくはこれにリンクした前記機器に送信する
ことを特徴とする情報記憶サービスシステム。
【発明の詳細な説明】
【０００１】
【発明の属する技術分野】
本発明は、情報が記憶されているＩＣチップを紙資料などの現実の物品に貼り付けるためのチップ・カートリッジを用いた端末装置とこれを用いたシステムに関する。
【０００２】
【従来の技術】
従来、現実の紙資料とデジタル情報とを関連付ける方法として、特開２０００ー２３１６２６に記載のように、情報の記憶機能とその出力機能とを備えた電子印鑑と、電子情報の入力機能とその記憶機能とを備えた電子シートからなり、電子印鑑をこの電子シートに押し付けると、電子印鑑に記憶されている情報が読み出されて出力され、電子シートでは、この情報を入力して記憶することにより、電子押印がなされるようにした電子印鑑システムが提案されている。
【０００３】
また、ネット上の情報記憶エリアをユーザに有償で貸し出し、これにユーザが情報を書き込んだり、これから情報を読み出したりすることができるようにした情報記憶サービスシステムが知られている。
【０００４】
【発明が解決しようとする課題】
しかし、上記特開２０００ー２３１６２６に記載の技術は、印鑑としての電子的に行なわせるものであり、電子シートへの押印が自己の電子印鑑によるものか、他の電子印鑑によるものであるかを判別できるように、電子印鑑から電子シートに情報が渡されるものであり、使用される情報としては、電子印鑑に固有のものである。このため、押印は、これがなされた紙資料が自己のものであるかどうかを決めるものである。
【０００５】
書類などの紙資料に押印することは、これによってその紙資料が自己のものか否かを容易に判断できるという意味で、情報管理の１つの形態とも考えられる。しかしながら、紙資料が膨大になると、このような情報を電子印鑑の押印でもって管理することは非常に困難になるし、その保管も容易なことではない。
【０００６】
このような膨大な情報を管理する方法として、上記のようにネット上の情報記憶エリアを借りて保管する、といったような方法もある。しかし、この方法によると、借りた情報記憶エリアはその借主の情報だけを保管するものであるから、電子印鑑を押印した場合と同様、この情報記憶エリア内の情報は自己の情報のみであることが容易に分かるものであるが、情報の保管場所が提供されるということだけであって、情報記憶エリアから必要な情報を確実に探し出す場合には、ある程度の振るい分けはできるとしても、１つ１つ読み出してその内容を確認することが必要であって、非常に手間がかかることになる。
【０００７】
本発明の目的は、かかる問題を解消し、多数の情報の中から必要とする情報を確実かつ容易に見つけ出すことに使用可能とするチップ・カートリッジを用いた端末装置とこれを用いたシステムを提供することにある。
【０００８】
【課題を解決するための手段】
上記目的を達成するために、本発明による端末装置は、異なるチップ固有データが記録されている複数の微小非接触ＩＣチップを保持し、該微小非接触ＩＣチップを物品の表面に貼り付け可能に構成されたチップ・カートリッジが着脱可能であって、操作部と、通信ネットワークを介して接続されたデータ管理サーバにデータを送信する送信手段と、装着された該チップ・カートリッジ内に入り込み、該チップ・カートリッジに保持された該微小非接触ＩＣチップのうち、該操作部の操作によって該物品の表面への貼り付けのために予め決められた位置に位置決めされた該微小非接触ＩＣチップに記録されている該チップ固有データを読み取る識別アンテナと、該識別アンテナにより、該物品の表面に貼り付けるための該チップ・カートリッジの該微小非接触ＩＣチップから読み取った該チップ固有データを記憶するメモリと、該メモリに所定量の該チップ固有データが格納されると、もしくは該操作部の所定操作に応じて、該メモリに記憶されている全ての該チップ固有データを読み出す読出手段とを設け、該送信手段が該読出手段によって該メモリから読み出された該チップ固有データを該データ管理サーバに送信するものである。
【０００９】
また、本発明による端末装置は、携帯電話機であることを特徴とする。
【００１０】
本発明によるシステムは、異なるチップ固有データが記録されている複数の微小非接触ＩＣチップを保持し、該微小非接触ＩＣチップを物品の表面に貼り付け可能に構成されたチップ・カートリッジの販売・管理システムであって、該チップ・カートリッジの販売装置と、管理サーバと、該販売装置と該管理サーバとの間でデータのやり取りを行なうための通信ネットワークとからなり、該販売装置は、該チップ・カートリッジの販売時に、該チップ・カートリッジに記録されている該チップ・カートリッジのカセット番号及び該チップ・カートリッジに保持されている該微小非接触ＩＣチップのチップＩＤを読み取る読取手段と、該チップ・カートリッジを購入するユーザによりその購入時に入力される該チップ・カートリッジに関して登録するためのユーザ情報の入力を受け付ける入力手段と、該読取手段によって読み取られた該カセット番号及び該チップＩＤと該入力手段に受け付けられた該ユーザ情報とを該通信ネットワークを介して該管理サーバに送信する送信手段とを有し、該管理サーバは、該販売装置から送信される販売された該チップ・カートリッジの該カセット番号と該チップＩＤとを登録管理データとして保存管理するとともに、該販売装置で該チップ・カートリッジの販売時に入力されて送信される該ユーザ情報を販売された当該チップ・カートリッジの該登録管理データに関連付けて登録し、販売された該チップ・カートリッジに関するカセット番号及びチップＩＤとこれを購入したユーザの該ユーザ情報とを関連付けて登録管理するものである。
【００１１】
本発明によるシステムは、異なるチップ固有データが記録されている複数の微小非接触ＩＣチップを収納し、該微小非接触ＩＣチップを物品の表面に貼り付け可能に構成されたチップ・カートリッジが着脱可能であって、該物品に貼り付ける該微小非接触ＩＣチップの該チップ固有データを読み取る識別アンテナを備えた端末装置と、該端末装置の代わりにデジタル情報の授受を行なうことができる機器として該端末装置にリンクし、該微小非接触ＩＣチップが貼り付けられる物品が有する情報に関する該デジタル情報を有する機器と、該端末装置にリンクした該機器からの該デジタル情報を保管するリンクデータ保管サーバと、該リンクデータ保管サーバに保管された該デジタル情報を、該デジタル情報の保管場所を表わす保管アドレスとともに、管理するＩＤ管理サーバとからなり、該ＩＤ管理サーバには、該端末装置によって該物品に貼り付けられて使用される該チップ・カートリッジに収納されている該微小非接触ＩＣチップ毎のチップ固有データが、登録管理データとして、該端末装置のユーザのユーザ情報と関連付けられて登録されており、該リンクデータ保管サーバには、該端末装置にリンクした該機器からの該デジタル情報が該デジタル情報のデータ名称と該端末装置のユーザのユーザ情報とに関連づけられて登録され、登録された該デジタル情報の該リンクデータ保管サーバにおける保管場所を表わす保管アドレスを該ＩＤ管理サーバに保管させ、該端末装置は、該チップ・カートリッジに収納されている該微小非接触ＩＣチップを該物品の表面に貼り付けるに際し、該端末装置の操作部を用いて入力される該データ名称と該ユーザ情報とを受け付けて該ＩＤ管理サーバに送信し、該データ名称と該ユーザ情報とをもとに該ＩＤ管理サーバにより該リンクデータ保管サーバで検索されたデジタル情報のリスト及び該デジタル情報の該リンクデータ保管サーバでの保管アドレスを該ＩＤ管理サーバから受信する第１の手段と、該デジタル情報のリストから、前記操作部の操作により、該微小非接触ＩＣチップが貼り付けられている該物品とリンクされる該デジタル情報を選択し、該微小非接触ＩＣチップから該識別アンテナで読み取られるチップ固有データとともに、該物品の該デジタル情報の該データ名称と該第１の手段で受信された該保管アドレスのうちの選択された該デジタル情報の該保管アドレスとを該ＩＤ管理サーバに送信する第２の手段とを備え、該ＩＤ管理サーバは、該端末装置の該第２の手段から送信される該ディジタル情報のデータ名称と該保管アドレスと該チップ固有データとを受信し、登録されている該登録管理データのうちの受信した該チップ固有データに該当する該登録管理データに該デジタル情報の該リンクデータ保管サーバでの該保管アドレスと該デジタル情報のデータ名称とを登録し、該リンクデータ保管サーバに保管されている該デジタル情報を該微小非接触ＩＣチップが貼り付けられた該物品にリンクされたリンクデータとするものである。
【００１２】
また、本発明による情報記憶システムは、前記端末装置が、前記チップ・カートリッジの前記識別アンテナが設けられた開口部に前記物品の表面に既に貼り付けられている前記微小非接触ＩＣチップが位置付けられて、前記微小非接触ＩＣチップの読み取りのための所定の操作が行なわれることにより、前記識別アンテナで前記微小非接触ＩＣチップのチップ固有データを読み取って、前記送信手段により、前記ＩＤ管理サーバに送信し、前記ＩＤ管理サーバは、前記端末装置から送信された該チップ固有データを受信し、登録されている前記登録管理データのうちの受信した該チップ固有データに該当する前記登録管理データに付与されている前記保管アドレスに基づいて、前記リンクデータ保管サーバから前記物品のリンクデータとしての前記デジタル情報を読み出して、前記端末装置もしくはこれにリンクした前記機器に送信するものである。
【００１９】
【発明の実施の形態】
以下、本発明の実施形態を図面を用いて説明する。
図１は本発明による端末装置の一実施形態を示す要部構成図であって、１は携帯端末本体（または、携帯端末）、２は表示部、３は操作部、４は送受信アンテナ、５は通信制御部、６はＩＣ（集積回路）、７は電源、８はカートリッジ制御／駆動部、９は識別アンテナ、２０はチップ・カートリッジ、３０は微小非接触ＩＣチップである。この実施形態は、端末装置として、携帯端末を用いるものである。
【００２０】
同図において、携帯端末本体１の表面には、各種操作キーが設けられた操作部３や表示部２などが設けられている。また、携帯端末１の内部には、各部の制御を行なうマイクロコンピュータや信号処理などを行なう処理回路などを含むＩＣ６や、送受信アンテナ４を介して図示しない通信ネットワークとの間での送受信制御を行なう通信制御部５や、各部に電力を供給する電源７が設けられている。
【００２１】
また、携帯端末本体１では、その内部あるいはその外部にチップ・カートリッジ２０を着脱自在に取り付けることができる。このチップ・カートリッジ２０には、後述するように、微小非接触ＩＣチップ（以下、単にＩＣチップという）３０が複数収納されている。このチップ・カートリッジ２０が携帯端末本体１に装着されたときには、これがカートリッジ制御／駆動部８によって駆動され、また、このチップ・カートリッジ２０内のＩＣチップ３０を１つずつ紙資料や写真，収納物（例えば、ダンボールなど）などの現実の物品の表面などに貼り付けることができる。
【００２２】
このＩＣチップ３０は、図２（ａ）に示すように、例えば、０．１〜１ｍｍ角程度の基板内にアンテナ３０ａやメモリ３０ｂなどが内蔵されてなるものであって、図２（ｂ）に示すように、かかるＩＣチップ３０が、例えば、円形状のシール部材３１に固定されている。このメモリ３０ｂには、後述するように、これを収納したカーシリッジ２０（図１）の番号（カセット（グループ）番号）やこのＩＣチップ３０毎に割り当てられた固有の番号（以下、これらをまとめてチップ固有データという）といったデータが記憶されている。
【００２３】
そして、図１において、携帯端末本体１には、このＩＣチップ３０のチップ固有データを読み取るための識別アンテナ９が設けられている。この識別アンテナ９によると、カードリッジ２０内の貼り付け前のＩＣチップ３０や既に現実の物品の表面に貼り付けられているＩＣチップ３０のチップ固有データを読み取ることができるものであって、ＩＣ６の制御のもとに、識別アンテナ９から電源電圧や読取指令などを送信すると、図２（ａ）に示すＩＣチップ３０では、この送信信号がアンテナ３０ａで受信され、これにより、メモリ３０ｂからチップ固有データが読み出されてアンテナ３０ａから送信される。そこで、図１において、ＩＣチップ３０からの送信信号は識別アンテナ９によって受信されてＩＣ６に供給され、また、通信制御部５の制御のもとに、送受信アンテナ４から送信される。
【００２４】
図３は図１における端末装置に用いるチップ・カートリッジの一具体例を示す要部構成図であって、２１ａは供給リール、２１ｂは巻取リール、２２はテープ、２３は支持部材、２４は開口、３２は接着剤であり、図１，図２に対応する部分には同一符号を付けている。
【００２５】
図３（ａ）に示すように、チップ・カートリッジ２０内では、供給リール２１ａと巻取リール２１ｂとが設けられ、また、チップ・カートリッジ２０の先端部に開口２４が形成されており、この開口２４の内側に支持部材２３が設けられている。そして、供給リール２１ａから支持部材２３の開口２４側表面を経て巻取リール２１ｂにテープ２２が架けられており、供給リール２１ａから巻取リール２１ｂの方へ移動させることができるようにしている。
【００２６】
このテープ２２には、その長手方向に一列にかつ等間隔にＩＣチップ３０が貼り付けられている。即ち、図３（ｂ）に示すように、ＩＣチップ３０が固定されたシール基材３１が、容易に剥がれる程度に、テープ２２に貼り付けられており、また、このシール基材３１のＩＣチップ３０が固定されている面側には、このシール基材３１を現実の物品の表面に貼り付けるための接着剤３２が設けられている。
【００２７】
このテープ２２の移動は、図１において、携帯端末１の操作部３の所定の操作のもとに、カートリッジ制御／駆動部８によって行なわれる。即ち、ＩＣチップ３０を現実の物品の表面に貼り付けたい場合、この操作部３でこのための所定の操作をすると、カートリッジ制御／駆動部８が動作し、供給リール２１ａと巻取リール２１ｂとを駆動して、テープ２２上のＩＣチップ３０が支持部材２３の表面上に位置するようにする。この位置では、このＩＣチップ３０の一部が開口２４から外部に突出した状態にあり、かかる状態では、ユーザが携帯端末本体１を手に持ってこのＩＣチップ３０を貼り付け対象となる現実の物品の表面に押し付けることにより、接着剤３０でもってシール基材３１が、従って、ＩＣチップ３０がかかる貼り付け対象に貼り付けられる。また、ＩＣチップ３０が支持部材２３の表面に位置付けられると、ＩＣ６（図１）の制御により、識別アンテナ９がこのＩＣチップ３０からそのチップ固有データの読取りを行なう。
【００２８】
このように、ＩＣチップ３０の貼り付けが終了すると、テープ２２は、操作部３での上記所定の操作があるまで、そのままの状態に保持される。このため、支持部材２３の表面上には、ＩＣチップ３０は存在しない。そして、かかる所定の操作が行なわれると、上記のように、カートリッジ制御／駆動部８が動作してテープ２２が移動し、ＩＣチップ３０が支持部材２３の表面上に位置付けられ、識別アンテナ９がこのＩＣチップ３０からチップ固有データを読み取って、ＩＣチップ３０が貼り付け対象に貼り付けられることができるようになる。
【００２９】
また、現実の物品の表面に既に貼り付けられたＩＣチップ３０のチップ固有データを、識別アンテナ９により、読み取ることもできる。即ち、上記のようにテープ２２上のＩＣチップ３０が保持部材２３の表面からはずれた位置にある状態とき、操作部３（図１）でチップ固有データ読取りのための所定の操作をすると、ＩＣ６（図１）の制御により、識別アンテナ９から、上記のように、電源電圧や読取り指令が繰り返し送信される。かかる状態で、携帯端末１（図１）を手に持ってチップ・カートリッジ２０の開口２４の部分を紙面や物品の表面での既に貼り付けられているＩＣチップ３０の部分に押し当てると、このＩＣチップ３０が識別アンテナ９の送信信号を受信し、メモリ３０ｂ（図２（ａ））に記憶しているチップ固有データを読み出して送信する。これを識別アンテナ９が受信してＩＣ６（図１）に供給する。このＩＣ６は、このチップ固有データの受信を確認すると、識別アンテナ９の上記送信動作を停止させる。
【００３０】
以上のようにして、この実施形態では、ＩＣチップ３０のチップ・カートリッジ２０を装着することにより、ＩＣチップ２０を現実の物品の表面に貼り付けることができるし、また、かかる物品の表面に貼り付けるＩＣチップや既に貼り付けられているＩＣチップのチップ固有データを読み取ることができる。
【００３１】
なお、この実施形態では、識別アンテナ９は携帯端末１内に設けられているものとしている。この場合には、チップ・カートリッジ２０が携帯端末本体１に装着されると、この識別アンテナ９はこのチップ・カートリッジ２０内に入り込み、支持部材２３の裏側に近接して配置されることになる。しかし、かかる識別アンテナ９をチップ・カートリッジ２０内に設けたものとすることもできる。この場合には、チップ・カートリッジ２０を携帯端末本体１に装着すると、識別アンテナ９が自動的に携帯端末本体１内のＩＣ６に接続される構成となっている。
【００３２】
図４は上記の携帯端末１を用いた本発明によるシステムの一実施形態を示す概略構成図であって、Ａはカートリッジ製造者、Ｂは販売者、Ｃはエンドユーザ、Ｄは情報記憶サービス提供者、４０はチップＩＤ番号管理発行者、４１はＩＣチップ製造者、４２は自動販売機、４３は物品、４４はＰＣ（パーソナルコンピュータ）、４５は通信ネットワーク、４６はＩＤ管理サーバ、４７はリンクデータ保管サーバであり、前出図面に対応する部分には、同一符号をつけている。
【００３３】
この実施形態は、本発明によるチップ・カートリッジの販売管理システムと情報記憶サービスシステムとが一体となったものである。
【００３４】
同図において、この実施形態のシステムは、概ねカートリッジ製造者Ａと販売者ＢとエンドユーザＣと情報記憶サービス提供者Ｄとで構成されており、販売者と情報記憶サービス提供者Ｄとはチップ・カートリッジ２０の販売管理システムを構成するものである。また、エンドユーザＣと情報記憶サービス提供者Ｄとは情報記憶サービスシステムを構成するものである。
【００３５】
カートリッジ製造者ＡはチップＩＤ番号管理発行者４０とＩＣチップ製造者４１とからなる。チップＩＤ番号管理発行者４０は、製造するチップ・カートリッジ２０のカセット番号とこのチップ・カートリッジ２０に内蔵されるＩＣチップ３０のチップＩＤを割り付け、管理するものであって、ＩＣチップ製造者４１は、チップ・カートリッジ２０を製造するに際し、このチップ・カートリッジ２０に割り付けるカセット番号とこれに内蔵する各ＩＣチップ３０のチップＩＤをチップＩＤ番号管理発行者４０から取得し、チップ・カートリッジ２０にこのカセット番号とこれに内蔵するＩＣチップの全てのチップＩＤを、例えば、バーコードの形式で記録し、また、内蔵される夫々のＩＣチップ３０に割り当てられたチップＩＤとカセット番号とをメモリ３０ｂ（図２（ａ））に記録する。ＩＣチップ３０に記録されるこれらチップＩＤとカセット番号とが上記のチップ固有データである。また、かかるカセット番号は、そのチップ・カートリッジ２０に内蔵されるＩＣチップ３０のグループの番号（グループ番号）でもある。
【００３６】
このようにして製造されたチップ・カートリッジ２０は、販売者Ｂにより、例えば自動販売機４２によって販売される。ここで、ＩＣチップ製造者４１が上記のように製造したチップ・カートリッジ２０を販売者Ｂに卸す場合、あるいは販売者Ｂがこのチップ・カートリッジ２０を販売する場合、チップ・カートリッジ２０に記録されているカセット番号やチップＩＤを読取装置（例えば、バーコードで表わされているときには、バーコード読取装置）で読み取り、通信ネットワーク４５を介して情報記憶サービス提供者Ｄに送る。これにより、ＩＤ管理サーバ４６では、このチップ・カートリッジ２０が、図５に示すようなフォーマットのテーブルの形式で、登録される。このテーブル形式で登録されるデータを、以下、登録管理データという。ここで、図５について説明すると、この登録されたチップ・カートリッジ２０は、そのカセット（グループ）番号が「G2000・・02」であって、チップＩＤが「1000・・01」から「1000・・99」までの１００個のＩＣチップ３０を内蔵していることになる。
【００３７】
かかる登録管理データがＩＤ管理サーバ４６に登録されることにより、このチップ・カートリッジ２０に情報記憶サービス提供者Ｄでのデータ管理・アクセス権が付与されることになる。従って、自動販売機４２からは、かかる権利付きのチップ・カートリッジ２０が販売されることになる。そこで、これを購入したエンドユーザＣは、このチップ・カートリッジ２０に付与されているカセット番号やチップＩＤを基に、情報記憶サービス提供者Ｄに所望とするデジタル情報を保管・管理して貰ったり、ＩＤ管理サーバ４６にアクセスしてリンクデータ保管サーバ４７に保管されているデジタル情報（これは、後述するようにして、ＩＣチップ３０やこれが貼り付けられる現実の物品とのリンクデータとなる）を使用することができる権利が付与されることになる。
【００３８】
また、エンドユーザＣが自動販売機４２からこのチップ・カートリッジ２０を購入するに際しては、このエンドユーザＣに関する情報（ユーザ情報）が自動販売機４２に入力され、このユーザ情報が通信ネットワーク４５を介してＩＤ管理サーバ４６に送られる。これにより、このエンドユーザＣがその購入したチップ・カートリッジ２０に関して登録されることになり、このエンドユーザＣは、自己のデジタル情報を情報記憶サービス提供者Ｄに保管・管理して貰える権利を取得したことになる。
【００３９】
ユーザ情報の自動販売機４２への入力方法としては、カードによる方法やキーボードなどを用いた手入力によるものとがあるが、いずれの方法によってもよいし、また、どちらの方法も使用できるようにしてもよい。
【００４０】
また、入力するユーザ情報としては、図５に示すように、登録管理データに登録される登録者（ユーザ）の名称やパスワード，所属，権限（職位），電話番号，メールアドレス，住所，登録日付であり、ＩＤ管理サーバ４６では、図６に示すように、購入したチップ・カートリッジ（この場合、カセット番号が「G2000・・02」のカートリッジ）２０の登録管理データと関連付けて登録される。なお、上記の「登録日付」は、自動販売機４２がその内蔵のタイマから日時情報を読み取ってＩＤ管理サーバ４６に送るようにしてもよい。
【００４１】
エンドユーザＣは、このように情報記憶サービス提供者Ｄにデジタル情報の保管・管理をして貰える権利を取得すると、携帯端末１にリンクされたＰＣ４４などの適当な機器を用いて、所有するデジタル情報や何らかの手段で取得したデジタル情報を、このエンドユーザＣのパスワードとともに、情報記憶サービス提供者Ｄに通信ネットワーク４５を介して送り、これを情報記憶サービス提供者Ｄで保管管理して貰うことができる。情報記憶サービス提供者Ｄでは、このデジタル情報がリンクデータ保管サーバ４７に保管され、また、これをＩＤ管理サーバ４６がパスワードをもとに管理することになる。
【００４２】
なお、ＰＣ４４などのエンドユーザＣが有する機器は、情報記憶サービス提供者ＤのＩＤ管理サーバ４６に所定の手続きを行なうことにより、携帯端末１とリンクした機器とすることができ、リンクした機器はＩＤ管理サーバ４６に登録されている。また、かかるリンクした機器は、携帯端末１の代わりに、情報記憶サービス提供者Ｄにデジタル情報などを送って（アップロードして）リンクデータ保管サーバ４７に保管して貰ったり、あるいはリンクデータ保管サーバ４７に保管されているデジタル情報（この場合には、後述のリンクデータとなっている）をダウンロードして貰うこともできる。
【００４３】
なお、このように保管・管理されるデジタル情報は、資料（例えば、特許資料，会議資料など）や記録（例えば、会議の内容の記録など）など任意であって、また、かかる情報の形態としては、文章，画像情報や音声情報など任意の形態でよい。また、かかる保管デジタル情報をＩＤ管理サーバ４６が管理するために、「特許資料」，「会議資料」といったデータ名称や備考としてのメモ程度の内容（例えば、資料の簡単な内容や会議の開催日時など）などの必要な情報がエンドユーザＣ側で保管するデジタル情報に付加される。
【００４４】
エンドユーザＣは、この購入したチップ・カートリッジ２０を所有の携帯端末１に装着することにより、先に図１〜図３で説明したように使用することができる。なお、この携帯端末１には、例えば、バーコードでチップ・カートリッジ２０に記録されているカセット番号などを読み取る装置も設けられている。
【００４５】
次に、エンドユーザＣによるチップ・カートリッジ２０の使用方法の一具体例について説明するが、このエンドユーザＣは、自動販売機４２でこのチップ・カートリッジ２０を購入したことにより、ＩＤ管理サーバ４６にユーザ登録がなされており、これにより、エンドユーザＣは、情報記憶サービス提供者Ｄに対し、デジタル情報を保管・管理して貰う権利を有している。
【００４６】
そこで、以下に説明する使用方法は、リンクデータ管理サーバ４７に予め保管されているデジタル情報を現実の物品４３に関連付ける（リンクさせる）ために、この物品４３にＩＣチップ３０を貼り付け、このＩＣチップ３０のチップ固有データを介して、このデジタル情報をこのＩＣチップ３０が貼り付けられた現実の物品４３にリンクされるものであって、このようにリンクされたデジタル情報をリンクデータという。
【００４７】
ここで、現実の物品４３は、例えば、既に行なわれた会議に関する概略内容（例えば、開催日時や議題，開催場所など）を記載した書類とする。この会議の資料や詳細な内容などのデジタル情報は、既にリンクデータ保管サーバ４７に保管され、ＩＤ管理サーバ４６で管理されているものとする。かかるデジタル情報は、パスワードやデータ名称（備考）といったデータをもとに、従来の情報管理システムと同様、リンクデータ保管サーバ４７から読み取ることができるが、現実の物品４３にリンクされていない。
【００４８】
物品４３に、上記のようにして、ＩＣチップ３０を貼り付けると、このとき、このＩＣチップ３０のチップ固有データが携帯端末１に読み取られている。そして、操作部３（図１）の操作により、この物品４３にリンクしたいデジタル情報に関する情報（データ名称（備考）やリンクデータ保管サーバ４７でのアドレスなど）とともに、この読み取ったチップ固有データを通信ネットワーク４５を介してＩＤ管理サーバ４６に送る。これにより、現実の物品４３に対するＩＤ登録がなされたことになり、このデジタル情報が現実の物品４３のリンクデータとなる。
【００４９】
そこで、いま、カセット番号「G2000・・02」のチップ・カートリッジ２０を用い、そのチップ・カートリッジ２０でのチップＩＤ「1000・・01」のＩＣチップ３０を現実の物品４３に貼り付けたとすると、このとき、これらカセット番号「G2000・・02」とチップＩＤ「1000・・01」とが既に読み取られており（即ち、チップ固有データが読み取られており）、これらに現実の物品４３にリンクしたいデジタル情報に関する情報が付加されてＩＤ管理サーバ４６に送られる。
【００５０】
そこで、ＩＤ管理サーバ４６では、カセット番号「G2000・・02」とチップＩＤ「1000・・01」とをもとに、チップ・カートリッジ２０の図６に示す登録管理データが検索され、図７に示すように、ＩＣチップNo.1000・・01の「使用日付」欄にこのＩＣチップ３０が貼り付けられた日付「D1:MM:YYYY」が登録され、「リンクデータ所在」にリンクデータとなるデジタル情報のリンクデータ保管４７での保管アドレス「URL:AAAA」が、「データ名称（備考）」欄にこのリンクデータとなるデジタル情報の名称（備考）が夫々登録されることになる。これにより、このデジタル情報は、現実の物品４３のリンクデータとなる。
【００５１】
なお、図７は、カセット番号「G2000・・02」のチップ・カートリッジ２０の全てのＩＣチップ３０が使用された（即ち、貼り付けられた）ときの場合を示している。
【００５２】
このようにして、エンドユーザＣが購入したチップ・カートリッジ２０では、そのＩＣチップ３０毎にそのデータがＩＤ管理サーバ４６で登録がなされることになる。これとともに、ＩＣチップ３０が貼り付けられた現実の物品４３のリンクデータがリンクデータ保管サーバ４７に存在することになり、これがＩＤ管理サーバ４６によって管理される。
【００５３】
現実の物品４３にエンドユーザＣが購入したチップ・カートリッジ２０のＩＣチップ３０（即ち、このエンドユーザＣのものとしてＩＤ管理サーバ４６に登録管理データでもって登録されているＩＣチップ３０）が既に貼り付けられている場合、上記のように、携帯端末１により、このＩＣチップ３０のチップ固有データを読み取ることができる。このＩＣチップ３０から読み取ったチップ固有データ（カセット番号とチップＩＤ）は、通信ネットワーク４５を介して、ＩＤ管理サーバ４６に送信される。ＩＤ管理サーバ４６では、このチップ固有データを基に登録管理データが検索され、図７に示すような登録管理データからこのチップ固有データに該当する「リンクデータ所在」欄からリンクデータ保管サーバ４７でのこの現実の物品４３のリンクデータのアドレスを取得し、このアドレスを基にリンクデータ保管サーバ４７から該当するリンクデータを読み取る。そして、このリンクデータを通信ネットワーク４５を介してエンドユーザＣの携帯端末１またはこれにリンクした機器、例えば、ＰＣ４４に送信し、これを表示させる。この携帯端末１またはこれにリンクした機器へのリンクデータの送信は、エンドユーザＣからの指示によって行なわれる。
【００５４】
このようにして、現実の物品４３のリンクデータはリンクデータ保管サーバ４７で保管されており、携帯端末１でこの物品４３に貼り付けられているＩＣチップ３０を読み取ることにより、リンクデータ保管サーバ４７から該当するリンクデータを取得することができる。
【００５５】
次に、エンドユーザＣによるチップ・カートリッジ２０の使用形態について、さらに詳細に説明する。かかる使用形態としては、（Ａ）新規情報登録／貼付け，（Ｂ）既存情報の読取り，（Ｃ）既存情報の編集とする。
【００５６】
図８は携帯端末１でのかかる使用形態の一具体例の操作手順を示すフローチャートである。これを図１などを参照して説明する。
【００５７】
図８において、チップ・カートリッジ２０を装着した状態の携帯端末１の電源７をＯＮし、あるいは携帯端末１の電源７をＯＮした状態でチップ・カートリッジ２０を装着し（ステップ１００）、操作部３により、この携帯端末１を所有するエンドユーザＣ（図４）の名前（ユーザ名）を入力し（ステップ１０１）、さらに、このエンドユーザＣのパスワードを入力する（ステップ１０２）。
【００５８】
これらの入力が終わり、操作部３で送信指令操作をすると、これとともに、装着されているチップ・カートリッジ２０のカセット（グループ）番号も読み取られ、通信制御部５の制御のもとに、このカセット（グループ）番号にユーザ名やパスワードが付加され、通信ネットワーク４５（図４）を介してＩＤ管理サーバ４６に送信される。そこで、ＩＤ管理サーバ４６では、受信したカセット（グループ）番号を基に、図５あるいは図６に示すような登録管理データを検索し、このカセット（グループ）番号の登録管理データの有無、かかる登録管理データがあれば、入力されたユーザ名やパスワードが一致するか否かを判定し、その判定結果を通信ネットワーク４５を介して携帯端末１に送信する。そこで、携帯端末１では、この受信した判定結果でチップ・カートリッジ２０の認証が行なわれる（ステップ１０３）。
【００５９】
この認証において、入力したパスワードが登録されているものと不一致の場合には、例えば、「パスワードが違います・・」といったメッセージが、また、装着されているチップ・カートリッジ２０が初期登録されていないときには（ここで、初期登録とは、図４で自動販売機４２からの購入を例として説明したが、この自動販売機４２がＩＤ管理サーバ４６に対して行なうユーザ登録に相当し、購入の仕方によっては（自動販売機４２以外で購入した場合には）、チップ・カートリッジ２０がかかる初期登録されていない場合もある）、例えば、「カートリッジの初期登録をしてください・・」といったメッセージが、入力したユーザ名が登録されているものと不一致の場合には、例えば、「カートリッジの登録利用者ではありません・・」といったメッセージが夫々携帯端末１の表示部２に表示される（ステップ１０８）。
【００６０】
ＩＤ管理サーバ４６で受信したカセット（グループ）番号の登録管理データが存在し、受信したユーザ名，パスワードがこの登録管理データのものと一致する場合には、表示部２にメニュー「（Ａ）新規情報登録／貼付け」，「（Ｂ）既存情報読取り」，「（Ｃ）既存情報編集」の作業を選択可能とした作業メニュー選択画面が表示部２に表示される（ステップ１０４）。
【００６１】
以下、メニュー「（Ａ）新規情報登録／貼付け」を選択した場合について説明する。これは、図４で説明したように、ＩＣチップ３０を現実の物品４３に貼り付け、これとともに、このＩＣチップ３０が貼り付けた物品４３にリンクデータ保管サーバ４７に保管されているデジタル情報をリンクさせるための新規情報を登録するための操作手順である。
【００６２】
メニュー「（Ａ）新規情報登録／貼付け」を選択すると（ステップ１０４）、携帯端末１の表示部２に「データ名称（備考）」の入力を要求する画面が表示され、これを入力し（ステップ１０５。この場合、「データ名称」だけでもよい）、さらにエンドユーザＣのパスワードを入力して送信部３で送信指示の操作をすると、これらデータ名称（備考）とパスワードとが通信ネットワーク４５を介して情報記憶サービス提供者Ｄに送信される。そこで、情報記憶サービス提供者Ｄでは、ＩＤ管理サーバ４６が、受信したパスワードとデータ名称とをもとに、リンクデータ保管サーバ４７でこれらに該当するデジタル情報を検索し、そのリストを携帯端末１に送信する。携帯端末１では、このリストが表示部２に表示され、操作部３を操作することにより、このリストから現実の物品４３にリンクさせるべきデジタル情報を選択する（ステップ１０６）。なお、この場合、このリストに挙げられている各デジタル情報のリンクデータ保管サーバでの保管アドレスも、携帯端末１に送られてきている。
【００６３】
しかる後、上記のように、現実の物品４３にＩＣチップ３０を貼り付けると、このＩＣチップ３０から読み取ったチップ固有データと、ステップ１０６で選択したデジタル情報のデータ名称（備考）と、このデジタル情報のリンクデータ保管サーバ４７での保管アドレスとが、通信ネットワーク４５を介して、情報記憶サービス提供者Ｄに送信される（ステップ１０７）。
【００６４】
そこで、情報記憶サービス提供者ＤのＩＤ管理サーバ４６では、受信したこのＩＣチップ３０のチップ固有データをもとに、このＩＣチップ３０の図６に示すような登録管理データが検索され、図７に示すように、その「使用日時」の欄に受信した日時が、「リンクデータ所在」にこのデジタル情報のリンクデータ保管サーバ４７での保管アドレスが、「データ名称（備考）」欄にこのデジタル情報のデータ名称（備考）が夫々書き込まれる。これにより、図７に示すように記録された登録管理データと貼り付けられたＩＣチップ３０とを介して、このデジタル情報が現実物品４３のリンクデータとなる。即ち、リンクデータ保管サーバ４７には、この現実の物品４３のリンクデータが保管されていることになる。
【００６５】
以上の処理手順が終了すると、ステップ１０４に戻って、表示部２に作業メニューが表示された状態となるが、電源が投入された（ステップ１００）ときの初期画面に戻るようにしてもよい。
【００６６】
図９は上記の作業メニュー画面でメニュー「（Ｂ）既存情報読み取り」を選択した場合（ステップ１０４）の処理手順の一具体例を示すフローチャートであって、ステップ４に至るまでの手順は、図８に示した具体例と同様であるので、省略している。
【００６７】
ここでは、図４に示す現実の物品４３には、既にＩＣチップ３０が貼り付けられているものとするものである。このＩＣチップ３０を利用してこの物品４３のリンクデータをリンクデータ保管サーバ４７から読み取ることができるが、このためには、図９において、表示部２で表示される作業メニュー画面でメニュー「（Ｂ）既存情報読取り」を選択する（ステップ１０４）。これにより、表示部２では、ＩＣチップ３０の読取り指示が表示される。
【００６８】
そこで、エンドユーザＣは、上記のように、携帯端末１の操作部３でＩＣチップ読取りのための所定の操作を行ない、チップ・カートリッジ２０の開口２４（図３）の部分を現実の物品４３上のＩＣチップ３０の部分に押し当て、識別アンテナ９（図１）によってこのＩＣチップ３０のチップ固有データを読み取らせる（ステップ２０１）。このチップ固有データは通信ネットワーク４５を介して情報記憶サービス提供者Ｄに送信される。なお、このチップ固有データは、上記のように、このＩＣチップ３０のチップＩＤとこれを収納したチップ・カートリッジ２０のカセット番号とからなるものである。
【００６９】
情報記憶サービス提供者Ｄでは、このチップ固有データを受信したＩＤ管理サーバ４６が、図７に示すようなチップ固有データの登録管理データを検索し、その「リンクデータ所在」欄にアドレスが記載されているか否かを判定する。ここで、通常、リンクデータがあれば、この「リンクデータ所在」欄には、リンクデータ保管サーバ４７でのその保管アドレスが記載されているものであるが、リンクデータがない場合や、後述する既存情報の編集処理により、リンクデータが削除された場合などでは、保管アドレスは記載されていない。
【００７０】
かかる判定結果は通信ネットワーク４５を介して携帯端末１に送信される。携帯端末１では、リンクデータが存在しないとの判定のとき、その旨が表示部２に表示されるが、リンクデータが存在する場合には（以上、ステップ２０２）、表示部２でこのリンクデータのダウンロード先の指定を要求する画面が表示される。この要求画面には、ダウンロードが可能な全ての機器の名称が表示される。この要求に基づいて、操作部３の操作により、ダウンロード先を携帯端末１あるいはＰＣ４４（図４）といったこれにリンクした機器を指定すると（ステップ２０３）、ＩＤ管理サーバ４６は、検索した上記のチップ固有データの登録管理データの「リンクデータ所在」欄のアドレスに基づいて、リンクデータ保管サーバ４７から該当するリンクデータを読み出し、通信ネットワーク４５を介して指定された機器、ここでは、例えば、ＰＣ４４（図４）にダウンロードする（ステップ２０４）。
【００７１】
このようにして、既にＩＣチップ３０が貼り付けられた現実の物品４３のリンクデータをリンクデータ保管サーバ４７から読み取り、ＰＣ４４などの所望の機器で表示させることができる。従って、かかる現実の物品４３をファイルされた紙資料とし、これにＩＣチップ３０が貼り付けられている場合には、携帯端末１によってこのＩＣチップ３０のチップ固有データを読み取った情報記憶サービス提供者Ｄに送信することにより、この紙資料の記載内容の、例えば、詳細を表わすリンクデータを直ちに取得することができるものであり、従来の情報管理システムのような取得した情報から該当するものを選択する、といった手間が不要となる。また、ＩＣチップ３０が貼り付けられた現実の物品４３とそのリンクデータとが長期間別々に保管されていても、このＩＣチップ３０を読み取るという簡単な操作でもって、そのリンクデータを取得することができる。
【００７２】
また、ＩＣチップ３０を介して現実の物品４３とリンクデータ保管サーバ４７に保管されている該当のデジタル情報がリンクされており、また、ＩＣチップ３０の所有者（エンドユーザ）がＩＤ管理サーバ４６に登録されているので、このＩＣチップ３０の所有者のみにかかるリンクデータのアクセス権が与えられていることになり、現実の物品４３を他人が取得したとしても、そのリンクデータにアクセスすることができず、利便性と同時にリンクデータのセキュリティも向上する。
【００７３】
図１０は上記の作業メニュー画面でメニュー「（Ｃ）既存情報編集」を選択した場合（ステップ１０４）の処理手順の一具体例を示すフローチャートであって、ステップ４に至るまでの手順は、図８に示した具体例と同様であるので、省略している。
【００７４】
このメニュー「（Ｃ）既存情報編集」は、例えば、図９で説明した既存情報の読み取りを行なって確認をした後などで、ＩＤ管理サーバ４６で管理されている登録管理データを編集することができるようにするものである。
【００７５】
図１０において、図９に示した既存情報読取りの場合と同様に、携帯端末１によって現実の物品４３（図４）に既に貼り付けられているＩＣチップ３０のチップ固有データを読み取り（ステップ３０１）、情報記憶サービス提供者Ｄに送信する。情報記憶サービス提供者Ｄでは、このチップ固有データを受信したＩＤ管理サーバ４６が、図７に示すようなチップ固有データの登録管理データを検索し、このＩＣチップ３０に対する登録管理データを携帯端末１に送信する。例えば、カセット番号が「G2000・・02」、チップＩＤが「1000・・01」とすると、図７に示す登録管理データのＩＣチップNo.1000・・01の部分がこのＩＣチップ３０の登録管理データとして携帯端末１に送られる。
【００７６】
そこで、携帯端末１では、このＩＣチップ３０の登録管理データが表示部２で表示され（勿論、これにリンクしたＰＣ４４に表示させるようにしてもよい）、この登録管理データについて編集することができる（ステップ３０２）。
【００７７】
この編集としては、例えば、「リンクデータ所在」欄や「データ名称（備考）」欄などであって、上記のメニュー「（Ｂ）既存情報読取り」の処理でリンクデータが不要となった場合には、「リンクデータ所在」欄でのこのリンクデータのアドレスを削除するものであり、また、「データ名称（備考）」欄では、リンクデータのデータ名称（備考）を修正するものである。このような修正結果をＩＤ管理サーバ４６に送信することにより、ＩＤ管理サーバ４６に登録されているこのＩＣチップ３０に関する登録管理データが修正される。
【００７８】
なお、「リンクデータ所在」欄の修正で、アドレスを追加できるようにすることもできる。この場合には、ステップ３０２において、図８でのステップ１０５，１０６の手順もできるようにする。
【００７９】
登録管理データの上記以外の欄についての修正も可能とすることもできる。例えば、現実の物品４３を破棄するような場合には、この物品４３に貼り付けられているＩＣチップに関する登録管理データの「ＩＣチップＮｏ」欄のチップＩＤを消去すればよい。また、かかる登録管理データを用いてエンドユーザＣに関する情報、例えば、パスワードを変更することができる。このように、同じチップ・カートリッジ２０に収納されているＩＣチップ３０に共通する事項は、このように１つのチップ３０の登録管理データで修正すると、これを収納するチップ・カートリッジ２０について修正されることになる。
【００８０】
また、１つのリンクデータを２以上のＩＣチップ３０、従って、２以上の現実の物品４３にリンクさせることも可能である。この場合には、図７に示す登録管理データにおいて、２以上のＩＣチップＮｏの「リンクデータ所在」欄に同じアドレスが記録されることになる。さらに、１つのＩＣチップ３０、従って、１つの現実の物品４３に２以上のリンクデータをリンクさせることもできる。この場合には、図８におけるステップ１０６で２以上のリンクデータを選択したり、あるいは図１０に示した編集でリンクデータを追加するものであって、図７に示す登録管理データにおいて、同じＩＣチップＮｏの「リンクデータ所在」欄に２以上のアドレスが記録されることになる。
【００８１】
図１１は本発明による端末装置の他の実施形態を示す要部構成図であって、１０はメモリであり、図１に対応する部分には同一符号をつけて重複する説明を省略する。
【００８２】
同図において、この実施形態は、図１に示す実施形態での構成にメモリ１０を追加したものである。このメモリ１０は、図８で説明した操作手順によって図示しない現実の物品４３にＩＣチップ３０を貼り付けるときに、このＩＣチップ３０から読み取ったチップ固有データとこれに関連するデータ（データ名称（備考）やデジタル情報のリンクデータ保管サーバ４７でのアドレスなど）を記憶するものであり、予め決められた個数のチップ固有データが記憶されると、あるいはまた、操作部３で送信を指示する指令が入力されると、通信制御部５の制御のもとに、メモリ１０に記憶されている全てのチップ固有データとその関連データとが連続して記憶サービス提供者Ｄ（図１）に送信されるものである。
【００８３】
図１２は本発明による端末装置のさらに他の実施形態を示す外観図であって、５０は携帯電話機である。
【００８４】
同図において、この実施形態は、端末装置を携帯電話機５０とするものであって、携帯電話機５０にチップ・カートリッジ２０を着脱可能とし、かつこの携帯電話機５０に先の実施形態の携帯端末１と同様の機能も持たせたものである。
【００８５】
図１３は本発明に用いるチップ・カートリッジの他の具体例を示す外観斜視図であって、２５は操作部であり、前出図面に対応する部分には同一符号をつけて重複する説明を省略する。
【００８６】
この具体例のチップ・カートリッジ２０は、上記のような携帯端末１に装着して用いるものではなく、それ自体単独で用いることができるようにしたものである。その内部構成は、図３に示した構成と同様であるが（但し、識別アンテナ９は備えていない）、操作部２５が設けられており、これを手動操作することにより、リール２１ａ，２１ｂ（図３）を駆動してテープ２２（図３）を移動させることができるようにしたものである。
【００８７】
この具体例のチップ・カートリッジ２０はＩＣチップ３０の貼り付け専用のものであって、開口２４（図３）を見ながら操作部２５を操作することにより、テープ２２のＩＣチップ３０を保持部材２３（図３）の場所に位置付けすることができる。
【００８８】
この具体例で現実の物品４３（図４）に貼り付けられたＩＣチップ３０は、別のＩＣチップ読み取り装置によってそのチップ固有データを読み取ることができる。
【００８９】
このようにして、この具体例は、ＩＣチップ３０を手に持って１つ１つ現実の物品４３に貼り付けるという手間を省くことができることになる。
【００９０】
なお、この具体例のチップ・カートリッジ２０も、これを購入するときには、図４で説明したように、情報記憶サービス提供者Ｄでデジタル情報を管理して貰う権利やこのデジタル情報にアクセスする権利が付与されているものであり、これを購入したエンドユーザに対しては、ＩＤ管理サーバ４６にユーザ登録がなされるものである。そして、ＩＣチップ３０が貼り付けられた現実の物品４３に対してリンクデータ保管サーバ４７でのリンクデータの設定を携帯端末で行なうことができる。この場合の携帯端末としては、例えば、図１において、チップカートリッジ２０を装着することができないが、識別アンテナ９を備えた構成とし、ＩＣチップ３０の読み取り専用とするものである。そして、その機能としても、図８に示したものと基本的に同様であるが、ＩＣチップ３０の貼り付けの機能はなく、ステップ１０７はＩＣチップ３０の読み取りとなる。そして、このＩＣチップ３０から読み取ったチップ固有データとデータ名称，リンクデータのアドレスを情報記憶サービス提供者Ｄに送信することにより、図１に示した実施形態を用いた場合と同様に、リンクデータ保管サーバ４７でリンクデータが設定され、図７に示す登録管理データがＩＤ管理サーバ４６で管理されることになる。
【００９１】
図１４は本発明によるチップ・カートリッジを用いた端末装置のさらに他の実施形態を示す図であって、６０はパソコン（パーソナルコンピュータ）、６１はコード（伝送線）であり、図１３に対応する部分には同一符号をつけて重複する説明を省略する。この実施形態では、端末装置として、パソコンを用いるものである。
【００９２】
同図において、この実施形態のチップ・カートリッジ２０は、図１３に示したチップ・カートリッジ２０に、図１，図３に示したような識別アンテナ９（図１４には、図示せず）を付加し、この識別アンテナ９をコード６１を介してパソコン６０に接続して使用できるようにしたものであり、このパソコン６０は先の携帯端末１と同様の機能も持たせたものである。従って、このチップ・カートリッジ２０は、ＩＣチップ３０（図示せず）の物品（図示せず）への貼り付け時のこのＩＣチップ３０のチップ固有データの読み取りや、物品に既に貼り付けられているＩＣチップ３０からのチップ固有データの読み取りを行なうことができる。
【００９３】
従って、この実施形態では、パソコン６０がインターネットなどの通信ネットワーク４５（図４）を介して情報記憶サービス提供者Ｄ（図４）との通信を行ない、図８〜図１０で説明した動作を行なうことになる。
【００９４】
【発明の効果】
以上説明したように、本発明による端末装置によると、現実の物品に貼り付けるＩＣチップからそのチップ固有データを、このＩＣチップを貼り付けるときに、自動的に読み取ることができ、その読み取りを迅速に行なうことができるとともに、ＩＣチップを貼り付ける状態でチップ固有データの読み取りを行なうものであるから、その読み取りが正確に行なわれることになり、かかるチップ固有データを用いる任意のシステムにとって非常に有効なものとなる。
【００９６】
さらに、本発明によるチップ・カートリッジの販売管理システムによると、購入したチップ・カートリッジの所有権が、購入とともに、管理されるものであるから、購入したときからチップ・カートリッジの不正使用を防止することができるし（第三者は、このチップ・カートリッジを取得してそのＩＣチップを物品に貼り付けるようなことはできるが、このＩＣチップは管理されている所有権を持つ正しい所有者のものであり、第三者は、この貼り付けたＩＣを利用しようとしても、その機能を利用することはできない）、また、かかる管理のための手続きが非常に簡略化されたものとなり、しかも、かかる手続きのもれを防止できる。
【００９７】
さらに、本発明による情報記憶サービスシステムによると、現実の物品とこれに関連するデジタル情報とが、この物品に貼り付けられたＩＣチップを介して、リンクでき、このＩＣチップのチップ固有データを利用してかかるデジタル情報を容易かつ確実に取得することができる。しかも、このＩＣチップにその所有者のみのアクセス権を付与することにより、かかるデジタル情報のセキュリティも向上する。
【図面の簡単な説明】
【図１】本発明による端末装置の一実施形態を示す要部構成図である。
【図２】図１における微小非接触ＩＣチップの一具体例を示す構成図である。
【図３】  図１に示す端末装置に使用されるチップ・カートリッジの一具体例を示す要部構成図である。
【図４】図１に示す実施形態を用いた情報記憶サービスシステムの一実施形態を示す図である。
【図５】図４における自動販売機でチップ・カートリッジを販売するときの図４におけるＩＤ管理サーバに登録される微小非接触ＩＣチップに対する登録管理データの一具体例を示す図である。
【図６】図４における自動販売機でチップ・カートリッジを購入したときの図４におけるＩＤ管理サーバに登録される微小非接触ＩＣチップに対する登録管理データの一具体例を示す図である。
【図７】図４におけるエンドユーザが微小非接触ＩＣチップを物品に貼り付けたときの図４におけるＩＤ管理サーバに登録される微小非接触ＩＣチップに対する登録管理データの一具体例を示す図である。
【図８】図４に示すシステムで物品に微小非接触ＩＣチップを貼り付けるときのリンクデータ保管サーバに保管されているデータとのリンクのための処理手順を示すフローチャートである。
【図９】図４に示すシステムで物品に既に貼り付けられている微小非接触ＩＣチップに対するリンクデータをリンクデータ保管サーバから読み出すための処理手順を示すフローチャートである。
【図１０】図４に示すシステムでＩＤ管理サーバに登録されている登録管理データの編集のための処理手順を示すフローチャートである。
【図１１】本発明による端末装置の他の実施形態を示す要部構成図である。
【図１２】本発明による端末装置のさらに他の実施形態を示す外観図である。
【図１３】  本発明に用いるチップ・カートリッジの他の具体例を示す外観斜視図である。
【図１４】  本発明によるチップ・カートリッジを用いる端末装置のさらに他の実施形態の使用形態を示す図である。
【符号の説明】
１  携帯端末（携帯端末本体）
２  表示部
３  操作部
４  送受信アンテナ
５  通信制御部
６  ＩＣ（集積回路）
７  電源
８  カートリッジ制御／駆動部
９  識別アンテナ
１０  メモリ
２０  チップ・カートリッジ
２１ａ，２１ｂ  リール
２２  テープ
２３  保持部材
２４  開口
２５  操作部
３０  微小非接触ＩＣチップ
３０ａ  アンテナ
３０ｂ  メモリ
３１  シール部
３２  接着剤
４０  ＩＤ Ｎｏ管理発行者
４１  微小ＩＣチップ製造者
４２  自動販売機
４３  物品
４４  パソコン
４５  通信ネットワーク
４６  ＩＤ管理サーバ
４７  リンクデータ保管サーバ
５０  携帯電話機
６０  パソコン
６１  コード
Ｂ  販売者
Ｃ  エンドユーザ
Ｄ  情報記憶サービス提供者
【図１】
0004391040.tif 000002
【図２】
0004391040.tif 000003
【図３】
0004391040.tif 000004
【図４】
0004391040.tif 000005
【図５】
0004391040.tif 000006
【図６】
0004391040.tif 000007
【図７】
0004391040.tif 000008
【図８】
0004391040.tif 000009
【図９】
0004391040.tif 000010
【図１０】
0004391040.tif 000011
【図１１】
0004391040.tif 000012
【図１２】
0004391040.tif 000013
【図１３】
0004391040.tif 000014
【図１４】
0004391040.tif 000015